(57)【要約】      （修正有）【課題】建築現場などで使用される、例えば組立式型枠を構成する角材に係り、軽量で、建築資材として十分な強度を有し、位置固定も容易な、角鋼材の代替となるアルミ角材を提供する。【解決手段】上面２ａと底面２ｂと左右側壁２ｃ、２ｄで囲まれた内部中空２ｅのアルミ製の角材部２と、上面及び底面より長手方向に直交する水平方向に突出したアルミ製の第一突条３と、第一突起より垂直に上面或いは底面方向に突出したアルミ製の第二突条４とからなる。【選択図】図１
0003226423.tif 000002
【実用新案登録請求の範囲】
【請求項１】
上面と底面と左右側壁で囲まれた内部中空のアルミ製の角材部と、
前記上面及び底面より長手方向に直交する水平方向に突出したアルミ製の第一突条と、
前記第一突起より垂直に前記上面或いは底面方向に突出したアルミ製の第二突条とからなることを特徴とするアルミ角材。
【請求項２】
前記角材部が、上面及び底面方向の縦断面方向の長さ１２５ｍｍ±０．６ｍｍ，左右側壁方向の幅長４０ｍｍ±０．３ｍｍ，上面及び底面の縦断面厚８ｍｍ±０．２ｍｍ，前記左右側壁の幅方向の厚み３ｍｍ±０．１５ｍｍ、
前記第一突条が、前記左右側壁からの長さ１２．５ｍｍ±０．３５ｍｍ，縦断面方向の厚み５ｍｍ±０．２ｍｍ
前記第二突条が、前記第一突条からの長さ３ｍｍ，幅方向の厚み２．５ｍｍ、
であることを特徴とする請求項１に記載のアルミ角材。
【請求項３】
請求項１又は請求項２に記載のアルミ角材が、型枠用であることを特徴とする。 
【考案の詳細な説明】
【技術分野】
【０００１】
本考案は、建築現場などで使用される、例えば組立式型枠を構成する角材に係り、軽量で、建築資材として十分な強度を有し、位置固定も容易な、従来の角鋼材の代替となるアルミニウム製の角材（アルミ角材）に関する考案である。
【背景技術】
【０００２】
従来から、角材は、建築資材として非特許文献１のように各種規格の鋼管（角パイプ）が流通している。他方、図６のように、鍔１０ａで強度を向上させたアルミ製の特殊角材１０（（株）神戸製鋼所）も知られている。
【０００３】
しかしながら、従来の一般流通角材は、鋼材で重く、者業者にとってとても重労働であった。また、強度を高めたアルミ製の特殊角材１０は、固定の際に番線を使用すると滑り固定が容易でなかった。
【先行技術文献】
【非特許文献】
【０００４】
【非特許文献１】http://www.kouzai-net.com/stkr.html#STKR400(%E8%A7%92%E5%BE%84%E9%8B%BC%E7%AE%A1%E3%83%BB%E9%95%B7%E6%96%B9%E5%BD%A2%EF%BC%89
【考案の概要】
【考案が解決しようとする課題】
【０００５】
そこで、本考案は、建築現場などで使用される、例えば組立式型枠を構成する角材に係り、軽量で、建築資材として十分な強度を有し、位置固定も容易な、従来の角鋼材の代替となるアルミニウム製の角材（アルミ角材）を提供することを目的とする。
【課題を解決するための手段】
【０００６】
本考案は、上記課題を解決するため、
（１）
上面と底面と左右側壁で囲まれた内部中空のアルミ製の角材部と、
前記上面及び底面より長手方向に直交する水平方向に突出したアルミ製の第一突条と、
前記第一突起より垂直に前記上面或いは底面方向に突出したアルミ製の第二突条とからなることを特徴とするアルミ角材。
（２）
前記角材部が、上面及び底面方向の縦断面方向の長さ１２５ｍｍ±０．６ｍｍ，左右側壁方向の幅長４０ｍｍ±０．３ｍｍ，上面及び底面の縦断面厚８ｍｍ±０．２ｍｍ，前記左右側壁の幅方向の厚み３ｍｍ±０．１５ｍｍ、
前記第一突条が、前記左右側壁からの長さ１２．５ｍｍ±０．３５ｍｍ，縦断面方向の厚み５ｍｍ±０．２ｍｍ
前記第二突条が、前記第一突条からの長さ３ｍｍ，幅方向の厚み２．５ｍｍ、
であることを特徴とする（１）に記載のアルミ角材。
（３）
（１）又は（２）に記載のアルミ角材が、型枠用であることを特徴とする。
とした。
【考案の効果】
【０００７】
本考案は、上記構成であるので、建築現場などで使用される、例えば組立式型枠を構成する角材で、軽量かつ建築資材として十分な強度を有し、位置固定も容易な、従来の角鋼材の代替となるアルミ角材を提供できるようになる。
【図面の簡単な説明】
【０００８】
【図１】本発明であるアルミ角材の一例の正面図である。
【図２】本発明であるアルミ角材の強度試験の説明図である。（Ａ）は試験の様子（写真）、（Ｂ）試験条件である。
【図３】図２の試験結果である。
【図４】本発明であるアルミ角材と、他の角鋼材との性能比較表である。
【図５】本発明であるアルミ角材の固定例の写真である。
【図６】従来のアルミ製の特殊角材の写真である。
【考案を実施するための形態】
【０００９】
以下、添付図面に基づき、本考案の実施の形態について詳細に説明する。ただし、本考案はそれら実施形態の形状、大きさに限定されるものではない。
【実施例１】
【００１０】
図１に示すように、本考案の一例であるアルミ角材１は、建築資材である型枠用であり、上面２ａ、底面２ｂ、左側壁２ｃ及び右側壁２ｄで囲まれた内部中空２ｅのアルミ製の角材部２と、上面２ａ及び底面２ｂより長手方向に直交する水平方向、２方向に突出したアルミ製の第一突条３（計４箇所）と、第一突条３より垂直に上面２ａ或いは底面２ｂ方向に突出したアルミ製の第二突条４とからなる。第一突条３、第二突条４は、アルミ角材１の長手方向（図１奥方向）に連続的に存在する。
【００１１】
さらに詳しくは、ここでは、角材部２は、上面２ａ及び底面２ｂ方向の縦断面方向の長さが１２５ｍｍ±０．６ｍｍ，左側壁２ｃ及び右側壁２ｄ方向の幅長が４０ｍｍ±０．３ｍｍ，上面２ａ及び底面２ｂの縦断面厚が８ｍｍ±０．２ｍｍ，左側壁２ｃ及び右側壁２ｄの幅方向の厚みが３ｍｍ±０．１５ｍｍとした。
【００１２】
第一突条３は、左側壁２ｃ及び右側壁２ｄからの長さが１２．５ｍｍ±０．３５ｍｍ，縦断面方向の厚みが５ｍｍ±０．２ｍｍとした。また、第二突条４は、第一突条３からの長さ３ｍｍ，幅方向の厚み２．５ｍｍとした。
【００１３】
図２は、図１の形状のアルミ角材１の強度測定試験の様子（Ａ）と試験条件（Ｂ）を示す図である。長さ１０００ｍｍのアルミ角材１を、間隔８５０ｍｍとして支え５を配置し２点でアルミ角材１を支持し、６００ｍｍの荷重を平均かする介在６を載置した上で、１０ｋＮ／１分の載荷速度で荷重Ｐを加えた。
【００１４】
そして、アルミ角材１の変位量が３．０ｍｍに達したときの、荷重ｋＮを計測した。その結果を図３に示す。６検体を計測したところ、おおよそ８０−９０ｋＮであった。その結果は、十分に建築資材としての強度を有するもので、従来の角鋼材を代替できるものであった。
【００１５】
図４に、本発明であるアルミ角材１と、他の角鋼材との性能比較表を示した。アルミ角材１（縦１２５ｍｍ、幅６５ｍｍ、第一突条３厚み５ｍｍ、第一突条と第二突条の合計厚み８ｍｍ）は、同じ長さの他の鋼材（１００ｍｍ×１００ｍｍ，厚さｔ３．２ｍｍの角鋼管、１００ｍｍ×５０ｍｍ，厚さｔ２．３ｍｍの角鋼管、１２５ｍｍ×５０ｍｍ×２０ｍｍ，厚さ３．２のリップ溝型鋼）より軽く（７０％〜４５％の重量）で、断面性能は最大約２倍で、たわみはたいして大きくなく、アルミ故耐久性は高い。アルミ角材１総合的に、最もすぐれ、強度的には十分にそれら従来の角材を代替できる。
【００１６】
断面性能、等分部荷重２２ｋＮたわみは、それぞれ、１９８６年６月「土木学会」出版、土木学会構造工学委員会構造力学公式集改訂委員会編集「構造力学公式集」のｐ４３「断面二次モーメントの定義公式」、ｐ１３４−１３５の「単純梁等分部計算式」に従って求めた。
【００１７】
図５に、建築現場において、型枠として固定した状況を示した。第二突条４に鈎状の固定具７を係止し、ボルト締めすることで、従来の特殊角材１０のように滑ることなく、簡易かつ安定して、アルミ角材１を固定することができる。
【符号の説明】
【００１８】
１      アルミ角材
２      角材部
２ａ    上面
２ｂ    底面
２ｃ    左側壁
２ｄ    右側壁
２ｅ    中空
３      第一突条
４      第二突条
５      支え
６      介在
７      固定具
１０    特殊角材
１０ａ  鍔 
【図１】
0003226423.tif 000003
【図２】
0003226423.tif 000004
【図３】
0003226423.tif 000005
【図４】
0003226423.tif 000006
【図５】
0003226423.tif 000007
【図６】
0003226423.tif 000008
【手続補正書】
【提出日】令和2年3月12日(2020.3.12)
【手続補正１】
【補正対象書類名】明細書
【補正対象項目名】０００６
【補正方法】変更
【補正の内容】
【０００６】  本考案は、上記課題を解決するため、  （１）上面と底面と左右側壁で囲まれた内部中空のアルミ製の角材部と、前記上面及び底面より長手方向に直交する水平方向に突出したアルミ製の第一突条と、前記第一突条より垂直に前記上面或いは底面方向に突出したアルミ製の第二突条とからなることを特徴とするアルミ角材。  （２）前記角材部が、上面及び底面方向の縦断面方向の長さ１２５ｍｍ±０．６ｍｍ，左右側壁方向の幅長４０ｍｍ±０．３ｍｍ，上面及び底面の縦断面厚８ｍｍ±０．２ｍｍ，前記左右側壁の幅方向の厚み３ｍｍ±０．１５ｍｍ、前記第一突条が、前記左右側壁からの長さ１２．５ｍｍ±０．３５ｍｍ，縦断面方向の厚み５ｍｍ±０．２ｍｍ、前記第二突条が、前記第一突条からの長さ３ｍｍ，幅方向の厚み２．５ｍｍ、であることを特徴とする（１）に記載のアルミ角材。  （３）前記アルミ角材が、型枠用であることを特徴とする（１）又は（２）に記載のアルミ角材。とした。
【手続補正２】
【補正対象書類名】実用新案登録請求の範囲
【補正対象項目名】全文
【補正方法】変更
【補正の内容】
【実用新案登録請求の範囲】
【請求項１】
上面と底面と左右側壁で囲まれた内部中空のアルミ製の角材部と、前記上面及び底面より長手方向に直交する水平方向に突出したアルミ製の第一突条と、前記第一突条より垂直に前記上面或いは底面方向に突出したアルミ製の第二突条とからなることを特徴とするアルミ角材。
【請求項２】
前記角材部が、上面及び底面方向の縦断面方向の長さ１２５ｍｍ±０．６ｍｍ，左右側壁方向の幅長４０ｍｍ±０．３ｍｍ，上面及び底面の縦断面厚８ｍｍ±０．２ｍｍ，前記左右側壁の幅方向の厚み３ｍｍ±０．１５ｍｍ、前記第一突条が、前記左右側壁からの長さ１２．５ｍｍ±０．３５ｍｍ，縦断面方向の厚み５ｍｍ±０．２ｍｍ、前記第二突条が、前記第一突条からの長さ３ｍｍ，幅方向の厚み２．５ｍｍ、であることを特徴とする請求項１に記載のアルミ角材。
【請求項３】
前記アルミ角材が、型枠用であることを特徴とする請求項１又は請求項２に記載のアルミ角材。